(57)【要約】【課題】データが入力されている場合においてもＯＰＣを実行することができ、ＯＰＣの処理時間の短縮及び回数の低減をする必要がなく、良好な記録品質を確保することが可能である光ディスク装置、データ記録方法及びコンピュータプログラムを提供する。【解決手段】光ディスク装置は、制御部を有する光ピックアップユニット、第１メモリ及び第２メモリを備えている。制御部は、第２メモリが空き容量を備えているか否かを判定する手段（Ｓ２）、空き容量があると判定した場合にＯＰＣを実行するとともに、入力されたデータを第２メモリに記録する手段（Ｓ３）、及びＯＰＣが終了したと判定した場合にデータを光ディスクに記録する手段（Ｓ９）を備えている。そして、第２メモリに空き容量がないと判定した場合にＯＰＣを予約する手段（Ｓ４）、及び空き容量があると判定した場合にＯＰＣを実行する手段（Ｓ７）を備えている。【選択図】図３
2010218656.tif 000002
【特許請求の範囲】
【請求項１】
入力したデータを光ディスクに記録し、記録されたデータを光ディスクから読み出すためのビーム光を照射する光照射部、及び前記ビーム光が前記光ディスクにて反射された光を受光する受光素子を有する光ピックアップと、前記光照射部の最適記録パワー値を決定するＯＰＣ（オプティマム・パワー制御）を行うＯＰＣ実行手段とを備える光ディスク装置において、
前記ＯＰＣ実行手段がＯＰＣを実行する間に入力するデータを記録するバッファメモリを備えることを特徴とする光ディスク装置。
【請求項２】
前記バッファメモリが、前記ＯＰＣ実行手段がＯＰＣを実行する時間に入力するデータを記録することができるだけの空き容量を備えているか否かを判定する空き容量判定手段を備え、
該空き容量判定手段により前記空き容量を備えていると判定した場合に、前記ＯＰＣ実行手段はＯＰＣを実行するように構成されていることを特徴とする請求項１に記載の光ディスク装置。
【請求項３】
前記空き容量判定手段により前記空き容量を備えていないと判定された場合に、ＯＰＣの実行の予約を行う手段を備えることを特徴とする請求項２に記載の光ディスク装置。
【請求項４】
前記ＯＰＣ実行手段がＯＰＣを実行する場合であるか否かを判定する実行判定手段を備え、
該実行判定手段により実行する場合であると判定した場合に、前記ＯＰＣ実行手段はＯＰＣを実行するように構成されていることを特徴とする請求項１から３までのいずれか一つに記載の光ディスク装置。
【請求項５】
前記実行判定手段は、所定の時間が経過した場合に、ＯＰＣを実行する場合であると判定するように構成されていることを特徴とする請求項４に記載の光ディスク装置。
【請求項６】
前記実行判定手段は、温度が変化した場合、データを前記光ディスク上に記録する半径位置が変化した場合、及び前記受光素子の受光量が変化した場合のうちの少なくとも１つの場合に、ＯＰＣを実行する場合であると判定するように構成されていることを特徴とする請求項４に記載の光ディスク装置。
【請求項７】
前記実行判定手段は、温度が変化した場合にＯＰＣを実行する場合であると判定するように構成されていることを特徴とする請求項６に記載の光ディスク装置。
【請求項８】
入力したデータを光ディスクに記録し、記録されたデータを光ディスクから読み出すためのビーム光を照射する光照射部、及び前記ビーム光が前記光ディスクにて反射された光を受光する受光素子を有する光ピックアップを備える光ディスク装置を用い、前記光照射部の最適記録パワー値を決定するＯＰＣ（オプティマム・パワー制御）を実行するＯＰＣ実行ステップを有して、前記記録を行うデータ記録方法において、
前記ＯＰＣ実行ステップは、ＯＰＣを実行する間に入力するデータをバッファメモリに記録することを特徴とするデータ記録方法。
【請求項９】
前記ＯＰＣを実行する場合であるか否かを判定する実行判定ステップを有し、
前記ＯＰＣ実行ステップは、前記実行判定ステップにより実行する場合であると判定した場合に、ＯＰＣを実行することを特徴とする請求項８に記載のデータ記録方法。
【請求項１０】
コンピュータに、光ディスク装置の光照射部の最適記録パワー値を決定するＯＰＣ（オプティマム・パワー制御）を実行させるＯＰＣ実行ステップを有するコンピュータプログラムにおいて、
前記ＯＰＣ実行ステップは、コンピュータに、ＯＰＣを実行させる間に入力するデータをバッファメモリに記録させることを特徴とするコンピュータプログラム。
【発明の詳細な説明】
【技術分野】
【０００１】
本発明は、ＣＤ（Compact Disc）、ＤＶＤ（Digital Versatile Disk）及びＢＤ（Blue-ray Disc）等の光ディスクに対しデータの読み出し及び書き込みを行う光ディスク装置、該光ディスク装置を用いてデータを記録するデータ記録方法、及びコンピュータプログラムに関する。
【背景技術】
【０００２】
従来、ＣＤ、ＤＶＤ及びＢＤ等の光ディスクがデータの記録媒体として広く普及しており、光ディスクに対しデータの読み出し及び書き込みを行う光ディスク装置が広く普及している。これらの光ディスクでは螺旋状に形成された凹凸（ピット）又は溝（グルーブ）にデータが記録されており、光ディスク装置は、光ピックアップがビーム光をピット又はグルーブへ照射し、光ディスクでの反射光を受光することによってデータの読み出し及び書き込みを行うように構成されている。
【０００３】
メーカの異なる種類の光ディスクに対して最適な書き込み（記録）を行うためには、記録ストラテジ及び記録パワーを調整する必要がある。光ピックアップがレーザダイオードを備える場合、記録ストラテジとは、記録レーザ波形信号の立ち上がり、立ち下がり、信号幅等のタイミングを規定することをいい、記録パワーとは、記録レーザ光の強度を規定することをいう。
【０００４】
光ディスクの最内周領域にあるＣＤＺ(Control Data Zone)には予め製造メーカＩＤが記述されており、これを読取ることで、メーカ名、ディスクの種類、推奨記録パワー値、推奨記録ストラテジ等を取得することができる。この推奨記録パワー値及び推奨記録ストラテジをそのまま記録に採用することも可能であるが、光ディスク装置、光ディスク、環境温度等に適した記録を行うことができるとは限らない。また、記録の度に記録ストラテジ及び記録パワーの両方のパラメータを調整する場合、調整が二次元的になって調整時間が長引いてしまうため、あまり実用的ではない。そのため、一般的には記録パワーのみ最適化を行っている。この最適記録パワー値を決定する処理をＯＰＣ(Optimum Power Control)という。事前に各種の光ディスクに対して記録パワーを変えて記録試験を行い、最適な記録を行うことができたときの記録パワー値を保持し、本記録の際に使用している。
【０００５】
詳述すると、ＯＰＣは、光ディスクのテスト領域（ＰＣＡ：Power Calibration Area）に複数の記録パワーでテストデータを記録し、該テストデータを再生した際に得られるアシンメトリ値（再生信号の最大振幅と最小振幅の比）、変調度、又はデコーダからのジッタ等を用いて、再生信号品質を記録パワー毎に評価し、最適記録パワーを決定する。例えば、再生信号品質の評価パラメータとしてアシンメトリ値を用いた場合は、目標アシンメトリ値を設定し、取得されたアシンメトリ値のうち目標アシンメトリ値に最も近い値となる記録パワーを最適記録パワーに設定する。
【０００６】
温度環境及び光ディスクの半径位置等が変化した場合においても最適な記録状態を保持するためには、記録の都度ＯＰＣを実行することが好ましい。しかし、ＯＰＣを実行するには時間を要するため、実際に記録を行うまでに時間がかかり、放送番組を直接光ディスクに記録する場合等、記録を開始するまでの時間に制限がある場合には，極力ＯＰＣの処理時間を短くする等の対応が必要となる。そのため、現実的には初期にＯＰＣを実行したときの記録パワー値を用いて記録を実施している。従って、温度環境及びディスク半径位置の変化等に対応することができずに記録の品質が低下し、場合によっては、再生不能のデータを記録してしまう虞があるという問題があった。
【０００７】
特許文献１には、記録開始時にユーザデータエリア内に試し書き領域を設け、その領域でＯＰＣを行うことでＯＰＣの回数制限等を緩和した発明が開示されている。
特許文献２には、記録すべきデータの連続性を確認し、条件が満たされた場合、一度に複数のデータを連続して記録することで、ＯＰＣの追記回数の増加、及び記録処理時間の短縮を図った発明が開示されている。
特許文献３には、リライタブルディスクにおいて、データを記録した部分の再生を行い、エラーが発生した場合にはＯＰＣを実行し、新たな記録パワーで再度データを上書きすることにより、記録品質の向上を図った発明が開示されている。
【先行技術文献】
【特許文献】
【０００８】
【特許文献１】特開２００６−３２３９６８号公報
【特許文献２】特開平９−２８２７９６号公報
【特許文献３】特開平１１−４５４４０号公報
【発明の概要】
【発明が解決しようとする課題】
【０００９】
上述の特許文献１の場合、ユーザデータエリア内に直接ＯＰＣを実行するため、記録容量が減少する、また、記録の度にＯＰＣが実行されるため、ＯＰＣを行う必要がない場合においても処理がなされてしまうという問題があった。
特許文献２の場合、環境温度等が変化したときに記録品質が低下する可能性があるが、このときにＯＰＣを実行するシーケンスが構成されているわけではないため、常に記録品質が良好であるとは限らないという問題があった。
特許文献３の場合、データの再生を行って記録品質を確認するため、処理に時間を要し、ＴＶ放送のように継続的に流れてくるデータを記録する場合には、データを連続して記録することができない可能性があった。また、ディスクの欠陥等により記録品質が得られない場合においても、再度ＯＰＣを行うため、記録パワーに問題がない場合に処理がされ得るという問題があった。
【００１０】
本発明は斯かる事情に鑑みてなされたものであり、データが入力されている場合においてもＯＰＣを実行することができ、ＯＰＣの処理時間の短縮及び回数の低減をする必要がなく、良好な記録品質を保持することが可能である光ディスク装置、データ記録方法及びコンピュータプログラムを提供することを目的とする。
【課題を解決するための手段】
【００１１】
本発明に係る光ディスク装置は、入力したデータを光ディスクに記録し、記録されたデータを光ディスクから読み出すためのビーム光を照射する光照射部、及び前記ビーム光が前記光ディスクにて反射された光を受光する受光素子を有する光ピックアップと、前記光照射部の最適記録パワー値を決定するＯＰＣ（オプティマム・パワー制御）を行うＯＰＣ実行手段とを備える光ディスク装置において、前記ＯＰＣ実行手段がＯＰＣを実行する間に入力するデータを記録するバッファメモリを備えることを特徴とする。
【００１２】
本発明に係る光ディスク装置は、前記バッファメモリが、前記ＯＰＣ実行手段がＯＰＣを実行する時間に入力するデータを記録することができるだけの空き容量を備えているか否かを判定する空き容量判定手段を備え、該空き容量判定手段により前記空き容量を備えていると判定した場合に、前記ＯＰＣ実行手段はＯＰＣを実行するように構成されていることを特徴とする。
【００１３】
本発明に係る光ディスク装置は、前記空き容量判定手段により前記空き容量を備えていないと判定された場合に、ＯＰＣの実行の予約を行う手段を備えることを特徴とする。
【００１４】
本発明に係る光ディスク装置は、前記ＯＰＣ実行手段がＯＰＣを実行する場合であるか否かを判定する実行判定手段を備え、該実行判定手段により実行する場合であると判定した場合に、前記ＯＰＣ実行手段はＯＰＣを実行するように構成されていることを特徴とする。
【００１５】
本発明に係る光ディスク装置は、前記実行判定手段は、所定の時間が経過した場合に、ＯＰＣを実行する場合であると判定するように構成されていることを特徴とする。
【００１６】
本発明に係る光ディスク装置は、前記実行判定手段は、温度が変化した場合、データを前記光ディスク上に記録する半径位置が変化した場合、及び前記受光素子の受光量が変化した場合のうちの少なくとも１つの場合に、ＯＰＣを実行する場合であると判定するように構成されていることを特徴とする。
【００１７】
本発明に係る光ディスク装置は、前記実行判定手段は、温度が変化した場合にＯＰＣを実行する場合であると判定するように構成されていることを特徴とする。
【００１８】
本発明に係るデータ記録方法は、入力したデータを光ディスクに記録し、記録されたデータを光ディスクから読み出すためのビーム光を照射する光照射部、及び前記ビーム光が前記光ディスクにて反射された光を受光する受光素子を有する光ピックアップを備える光ディスク装置を用い、前記光照射部の最適記録パワー値を決定するＯＰＣ（オプティマム・パワー制御）を実行するＯＰＣ実行ステップを有して、前記記録を行うデータ記録方法において、前記ＯＰＣ実行ステップは、ＯＰＣを実行する間に入力するデータをバッファメモリに記録することを特徴とする。
【００１９】
本発明に係るデータ記録方法は、前記ＯＰＣを実行する場合であるか否かを判定する実行判定ステップを有し、前記ＯＰＣ実行ステップは、前記実行判定ステップにより実行する場合であると判定した場合に、ＯＰＣを実行することを特徴とする。
【００２０】
本発明に係るコンピュータプログラムは、コンピュータに、光ディスク装置の光照射部の最適記録パワー値を決定するＯＰＣ（オプティマム・パワー制御）を実行させるＯＰＣ実行ステップを有するコンピュータプログラムにおいて、前記ＯＰＣ実行ステップは、コンピュータに、ＯＰＣを実行させる間に入力するデータをバッファメモリに記録させることを特徴とする。
【００２１】
本発明においては、バッファメモリを備えており、データが入力されている場合においてもＯＰＣを実行することができるので、ＯＰＣの処理時間の短縮及び回数の低減をする必要がなく、良好な記録品質を保持することができる。
そして、記録の環境が変化した場合、所定時間が経過した場合等に、バッファメモリの空き容量があるときにＯＰＣを実行することで、過度のＯＰＣをすることがなく、ユーザデータエリア内に直接ＯＰＣを実行する場合のようにディスクの記録容量が減少することがなく、良好な記録品質を保持することができる。
【発明の効果】
【００２２】
本発明によれば、入力されたデータをバッファメモリに記録してＯＰＣを実行することにより、ＯＰＣの処理時間の短縮及び回数の低減をする必要がなく、良好な記録品質を確保することができる。
【図面の簡単な説明】
【００２３】
【図１】本発明の実施の形態１に係る光ディスク装置の要部の構成を示すブロック図である。
【図２】本発明の実施の形態１に係る光ピックアップユニットの制御部の要部の構成を示すブロック図である。
【図３】本発明の実施の形態１に係る光ピックアップユニットの制御部によるデータ記録処理の手順を示すフローチャートである。
【図４】本発明の実施の形態２に係る光ピックアップユニットの制御部によるデータ記録処理の手順を示すフローチャートである。
【発明を実施するための形態】
【００２４】
以下、本発明をその実施の形態を示す図面に基づき具体的に説明する。
実施の形態１．
図１は、本発明の実施の形態１に係るＤＶＤレコーダ等の光ディスク装置１の構成を示すブロック図である。
光ディスク装置１においては、ＤＶＤ等の光ディスク１１に映像及び音声等のデータを書き込む（録画する、記録する）と共に、光ディスク１１に記録された映像及び音声等のデータを読み出して出力する（再生する）ことができる。光ディスク装置１は、装置全体の動作の制御を行う制御装置１０と、光ディスク１１に対するデータの読み出し及び書き込みを行う光ピックアップユニット２とを備えている。
【００２５】
制御装置１０は、例えばチューナ等により受信した映像及び音声等のデータを光ピックアップユニット２へ書込要求と共に与えることによって、光ディスク１１へデータを書き込ませる。また、制御装置１０は、光ピックアップユニット２へ読出要求を与えることによって、光ディスク１１からデータを読み出し、このデータに係る映像及び音声等を出力させる。制御装置１０は光ディスク１１に書き込むデータを光ピックアップユニット２へ第１メモリ８を介して与え、光ピックアップユニット２は光ディスク１１から読み出したデータを制御装置１０へ第１メモリ８を介して与える。但し、制御装置１０による読出要求及び書込要求等は、第１メモリ８を介さずに光ピックアップユニット２へ与えられる。
【００２６】
第１メモリ８は、例えば容量が１Ｍ〜４ＭバイトであるＤＲＡＭ（Dynamic Random Access Memory）又はＳＲＡＭ（Static Random Access Memory）等のメモリ素子により構成され、光ピックアップユニット２及び制御装置１０の双方からアクセス可能に構成されている。
また、光ディスク装置１は、ＯＰＣを実行する場合に、入力したデータを記録するための第２メモリ（バッファメモリ）９を備えている。第２メモリ９は例えば容量が４Ｇ〜５０Ｇバイトであるフラッシュメモリにより構成される。
第１メモリ８及び第２メモリ９は、光ピックアップユニット２内に設けられる構成であってもよく、制御装置１０内に設けられる構成であってもよい。
【００２７】
光ピックアップユニット２は、光ピックアップ３により光ディスク１１の記録面にビーム光を照射することによって、データの読み出し及び書き込みを行う。光ピックアップユニット２は、光ディスク１１を載置するトレイ（図示せず）と、このトレイをスライドさせて装置の内外に出入するための動力を発生するトレイモータ５と、このトレイモータ５による回転運動をトレイの出入運動に変換する歯車機構等（図示せず）とを備えている。ユーザの操作に応じて制御装置１０は光ピックアップユニット２へトレイの出入要求を与え、光ピックアップユニット２の制御部７は該出入要求に応じてトレイモータ５を回転駆動させる。
【００２８】
また、光ピックアップユニット２は、トレイに載置された光ディスク１１を回転させるスピンドルモータ４を備えている。スピンドルモータ４の回転速度は、光ピックアップ３の位置（又は光ディスク１１へのビーム光の照射位置）に応じて変化し、制御部７により制御されている。即ち、制御部７は、スピンドルモータ４の回転速度を調整する制御、所謂スピンドルサーボを行っている。
【００２９】
また、光ピックアップユニット２は、光ピックアップ３を光ディスク１１の径方向へ移動させるための動力を発生するスレッドモータ６と、このスレッドモータ６の回転運動を光ピックアップ３の移動に変換する歯車機構、所謂スレッド送り機構（図示せず）とを備えている。スレッドモータ６は、光ディスク１１に対するデータの読出位置又は書込位置へ光ピックアップ３が移動するように、制御部７によって回転が制御されている。
【００３０】
光ピックアップ３は、図示は省略するが、ビーム光を発するレーザダイオードと、このレーザダイオードが発したビーム光を光ディスク１１の記録面に集光して照射するレンズ等の光学素子と、光ディスク１１にて反射されたビーム光を受光する受光素子と、これらを光ディスク１１の記録面に対して水平方向及び垂直方向に移動させるアクチュエータとを備えて構成されている。制御部７へは光ピックアップ３の受光素子が受光した光に応じた電気信号が制御部７へ与えられ、制御部７は光ピックアップ３のレーザダイオード及びアクチュエータの駆動制御を行う。
【００３１】
制御部７は、光ピックアップ３が照射するビーム光の強度を調整して、光ディスク１１に対するデータの読み出し又は書き込みを行う。光ディスク１１にデータを書き込む場合のビーム光の強度は、データを読み出す場合のビーム光の強度より強く、ビーム光の照射による光ディスク１１の結晶構造の変化等を利用してデータの書き込みを行う。この書き込み時のビーム光の強度として、後述するＯＰＣの実行により得られた最適記録パワー値が設定されている。
【００３２】
制御部７は、光ピックアップ３のアクチュエータを駆動してレーザダイオード及び光学素子等を光ディスク１１の記録面に対して垂直方向に移動させる制御を行うことにより、ビーム光の焦点距離の調整、所謂フォーカスサーボを行う。制御部７は、光ピックアップ３から与えられた電気信号からビーム光の焦点誤差を示すフォーカスエラー信号を生成し、この信号に基づいてフォーカスサーボを行う。フォーカスエラー信号の生成は、例えば非点収差法又はフーコー法等の既知の技術に基づいて行われる。
【００３３】
また、制御部７は、光ピックアップ３のアクチュエータを駆動してレーザダイオード及び光学素子等を光ディスク１１の記録面に対して水平方向に移動させる制御を行うことによって、ビーム光の照射位置の調整、所謂トラッキングサーボを行う。
【００３４】
図２は、光ピックアップユニット２の制御部７の要部の構成を示すブロック図である。  制御部７は、信号処理回路７１、ＭＰＵ（Micro Processor Unit）７２、ＲＯＭ７３、及び駆動回路７４を備えている。ＭＰＵ７２はＲＯＭ７３に記録されているプログラムに基づき所要の制御処理を行う。ＲＯＭ７３には、本発明に係るデータ記録処理のプログラム（コンピュータプログラム）も記録されている。
ＭＰＵ７２は、ＲＯＭ７３に記録されたプログラムに従って、ＯＰＣを実行する。ＯＰＣの実行時には、複数の記録パワーでテストデータを記録したときに得られるＲＦ信号値が光ピックアップ３から信号処理回路７１へ入力される。信号処理回路７１はＲＦ信号値に基づいてアシンメトリ値を算出し、ＭＰＵ７２へ出力する。ＭＰＵ７２は取得されたアシンメトリ値のうち目標アシンメトリ値に最も近い値となる記録パワー値を最適記録パワー値に設定する。又は、アシンメトリ値のパワー依存性データから、最適記録パワー値を算出する。ＭＰＵ７２は、最適記録パワー値を駆動回路７４へ出力し、記録を行う際に光ピックアップ３が出力するビーム光のパワーの設定がなされる。
【００３５】
以下に、実施の形態１に係るデータ記録方法について説明する。
制御部７（ＭＰＵ７２）は、ＲＯＭ７３に記録されたデータ記録処理のプログラムを読み出し、該プログラムに従ってデータ記録処理を行う。
図３は、実施の形態１に係る光ピックアップユニット２の制御部７によるデータ記録処理の手順を示すフローチャートである。
まず、制御部７は、記録要求を受け付けたか否かを判定する（Ｓ１）。記録要求を受け付けていないと判定した場合（Ｓ１：ＮＯ）、この判定を繰り返す。
制御部７は、記録要求を受け付けたと判定した場合（Ｓ１：ＹＥＳ）、第２メモリ９に空き容量があるか否かを判定する（Ｓ２）。ここで、制御部７は、第２メモリ９の空き容量が［（光ピックアップユニット２へ入力されるデータの量／秒）×ＯＰＣの処理時間（秒）］で求められる容量以上である場合、空き容量があると判定する。
【００３６】
制御部７は、空き容量があると判定した場合（Ｓ２：ＹＥＳ）、処理をステップＳ３へ進める。
制御部７は、空き容量がないと判定した場合（Ｓ２：ＮＯ）、ＯＰＣを予約し、入力されたデータを、第１メモリ８を介して光ディスク１１へ記録する（Ｓ４）。
そして、制御部７は、記録が終了したか否かを判定する（Ｓ５）。記録が終了していないと判定した場合（Ｓ５：ＮＯ）、処理をステップＳ２へ戻す。
制御部７は、記録が終了したと判定した場合（Ｓ５：ＹＥＳ）、第２メモリ９に空き容量があるか否かを判定する（Ｓ６）。空き容量がないと判定した場合（Ｓ６：ＮＯ）、この判定を繰り返す。
制御部７は、空き容量があると判定した場合（Ｓ６：ＹＥＳ）、上述のＯＰＣを実行し（Ｓ７）、データ記録処理を終了する。
【００３７】
制御部７は、ステップＳ３において、ＯＰＣを実行し、その間に入力されたデータを第２メモリ９へ記録する。
そして、制御部７は、ＯＰＣが終了したか否かを判定する（Ｓ８）。ＯＰＣが終了していないと判定した場合（Ｓ８：ＮＯ）、この判定を繰り返す。
制御部７は、ＯＰＣが終了したと判定した場合（Ｓ８：ＹＥＳ）、第２メモリ９に記録されたデータ、及びＯＰＣ実行後に入力されたデータをＯＰＣにより決定された最適記録パワー値により光ディスク１１へ記録する（Ｓ９）。
制御部７は、記録が終了したか否かを判定する（Ｓ１０）。記録が終了していないと判定した場合（Ｓ１０：ＮＯ）、この判定を繰り返す。
制御部７は、記録が終了したと判定した場合（Ｓ１０：ＹＥＳ）、データ記録処理を終了する。
【００３８】
本実施の形態においては、光ディスク装置１が第２メモリ９を備えているので、入力されるデータを一次記録しつつＯＰＣを実行することができ、ＯＰＣの処理時間を短縮化したり回数を制限したりすることなく、常に安定した記録の品質を確保することが可能である。
【００３９】
実施の形態２．
本発明の実施の形態２に係る光ディスク装置は、実施の形態１に係る光ディスク装置１と同様の構成を有し、制御部７によるデータ記録処理が実施の形態１に係るデータ記録処理と異なる。本実施の形態においては、制御部７がＯＰＣを実行する場合であると判定し、かつ第２メモリ９に空き容量があると判定した場合にＯＰＣを実行するように構成されている。
【００４０】
以下に、実施の形態２に係るデータ記録方法について説明する。
制御部７（ＭＰＵ７２）は、ＲＯＭ７３に記録されたデータ記録処理のプログラムを読み出し、該プログラムに従ってデータ記録処理を行う。
図４は、実施の形態２に係る光ピックアップユニット２の制御部７によるデータ記録処理の手順を示すフローチャートである。
まず、制御部７は、記録要求を受け付けたか否かを判定する（Ｓ２１）。記録要求を受け付けていないと判定した場合（Ｓ２１：ＮＯ）、この判定を繰り返す。
制御部７は、記録要求を受け付けたと判定した場合（Ｓ２１：ＹＥＳ）、前回のＯＰＣ実行時からの温度変化が閾値以上であるか否かを判定する（Ｓ２２）。例えば、温度変化が±１０℃の範囲を超えているか否かを判定する。
【００４１】
制御部７は、温度変化が閾値以上であると判定した場合（Ｓ２２：ＹＥＳ）、処理をステップＳ２６へ進める。
制御部７は、温度変化が閾値未満であると判定した場合（Ｓ２２：ＮＯ）、データを光ディスク１１へ記録する半径位置が変化したか否かを判定する（Ｓ２３）。制御部７は、光ディスク１１を半径方向に数ゾーンに分割したときの、前記ゾーンが切り替わったか否かを判定する。制御部７は、半径位置が変化したと判定した場合（Ｓ２３：ＹＥＳ）、処理をステップＳ２６へ進める。
【００４２】
制御部７は、半径位置が変化していないと判定した場合（Ｓ２３：ＮＯ）、光ピックアップ３の受光素子の受光量変化が閾値以上であるか否かを判定する（Ｓ２４）。光ピックアップ３に搭載されているビーム光を集光するための対物レンズ上にゴミ及び埃等が付着した場合にビーム光が光ディスク１１へ到達する比率が下がり、光ディスク１１で反射し、戻り光として光ピックアップ３内の受光素子が受ける受光量が低下する。制御部７はこの受光量の変化量が閾値以上であるか否を判定する。
制御部７は、受光量の変化が閾値以上であると判定した場合（Ｓ２４：ＹＥＳ）、処理をステップＳ２６へ進める。
【００４３】
制御部７は、受光量の変化が閾値未満であると判定した場合（Ｓ２４：ＮＯ）、前回ＯＰＣを実行してから所定の時間が経過したか否かを判定する（Ｓ２５）。ここで、光ディスク装置１を長期間使用していなかった場合も含む。
制御部７は、所定の時間が経過したと判定した場合（Ｓ２５：ＹＥＳ）、処理をステップＳ２６へ進める。
制御部７は、所定の時間が経過していないと判定した場合（Ｓ２５：ＮＯ）、処理をステップＳ３３へ進める。
【００４４】
制御部７は、ステップＳ２６において、第２メモリ９に空き容量があるか否かを判定する（Ｓ２６）。ここで、制御部７は、第２メモリ９の空き容量が［（光ピックアップユニット２へ入力されるデータの量／秒）×ＯＰＣの処理時間（秒）］で求められる容量以上である場合、空き容量があると判定する。
【００４５】
制御部７は、空き容量があると判定した場合（Ｓ２６：ＹＥＳ）、処理をステップＳ３１へ進める。
制御部７は、空き容量がないと判定した場合（Ｓ２６：ＮＯ）、ＯＰＣを予約し、入力されたデータを、第１メモリ８を介して光ディスク１１へ記録する（Ｓ２７）。
そして、制御部７は、記録が終了したか否かを判定する（Ｓ２８）。記録が終了していないと判定した場合（Ｓ２８：ＮＯ）、処理をステップＳ２６へ戻す。
制御部７は、記録が終了したと判定した場合（Ｓ２８：ＹＥＳ）、第２メモリ９に空き容量があるか否かを判定する（Ｓ２９）。空き容量がないと判定した場合（Ｓ２９：ＮＯ）、この判定を繰り返す。
制御部７は、空き容量があると判定した場合（Ｓ２９：ＹＥＳ）、ＯＰＣを実行し（Ｓ３０）、データ記録処理を終了する。
【００４６】
制御部７は、ステップＳ３１において、ＯＰＣを実行し、その間に入力されたデータを第２メモリ９へ記録する。
制御部７は、ＯＰＣが終了したか否かを判定する（Ｓ３２）。ＯＰＣが終了していないと判定した場合（Ｓ３２：ＮＯ）、この判定を繰り返す。
制御部７は、ＯＰＣが終了したと判定した場合（Ｓ３２：ＹＥＳ）、第２メモリ９に記録されたデータ、及びＯＰＣ実行後に入力されたデータをＯＰＣにより決定された最適記録パワー値により光ディスク１１へ記録する（Ｓ３３）。ステップＳ２５において、所定時間が経過しておらず、ＯＰＣを実行する必要がないと判定された場合は、入力されたデータを、第１メモリ８を介して光ディスク１１へ記録する。
制御部７は、記録が終了したか否かを判定する（Ｓ３４）。記録が終了していないと判定した場合（Ｓ３４：ＮＯ）、この判定を繰り返す。
制御部７は、記録が終了したと判定した場合（Ｓ３４：ＹＥＳ）、データ記録処理を終了する。
【００４７】
本実施の形態においては、第２メモリ９を備えており、環境温度，半径位置，受光量等が変化した場合、所定時間が経過した場合で、第２メモリ９に空き容量があるときに、ＯＰＣを実行するので、過度のＯＰＣを実行することがなく、ユーザデータエリア内にＯＰＣを実行する場合と異なり、記録容量を減少させることがなく、常に安定した記録の品質を確保することが可能である。
上述したように様々な条件下においても、常に安定した記録を行うことが可能となるため、データの記録に失敗して、ディスクを使用できなくなることが抑制される。そして、データを記録するために必要なディスクの枚数を最小限におさえることができるため、省材料効果も期待できる。
【００４８】
なお、本実施の形態においては、図４のフローチャートのステップＳ２２、Ｓ２３、Ｓ２４、Ｓ２５の内容が、請求項の「実行判定手段」に相当するが、ステップＳ２２、Ｓ２３、Ｓ２４、Ｓ２５の順に処理がなされる場合に限定されない。但し、温度変化が閾値以上であるか否かを判定するステップを優先させるのが好ましい。
また、ステップＳ２２、Ｓ２３、Ｓ２４、Ｓ２５の全ての処理を行う場合に限定されない。さらに、前記実行判定手段の内容は、ステップＳ２２、Ｓ２３、Ｓ２４、Ｓ２５の内容には限定されない。
【００４９】
また、前記実施の形態１及び２においては、光ディスク装置１が第１メモリ８及び第２メモリ９を備える場合につき説明しているがこれに限定されるものではなく、第２メモリ９は備えず、第１メモリ８のみを備え、ＯＰＣの実行時に入力されるデータは第１メモリ８に記録されるものであってもよい。
そして、光ディスク装置１がＤＶＤレコーダである場合につき説明しているがこれに限定されるものではなく、ＢＤレコーダ等の他の光ディスク装置であってもよい。
【符号の説明】
【００５０】
１  光ディスク装置
２  光ピックアップユニット
３  光ピックアップ
４  スピンドルモータ
５  トレイモータ
６  スレッドモータ
７  制御部
７１  信号処理回路
７２  ＭＰＵ
７３  ＲＯＭ
７４  駆動回路
８  第１メモリ
９  第２メモリ
１０  制御装置
１１  光ディスク
【図１】
2010218656.tif 000003
【図２】
2010218656.tif 000004
【図３】
2010218656.tif 000005
【図４】
2010218656.tif 000006